(57)【要約】  【課題】商品陳列棚等に取り付けて商品の陳列スペースを拡張すべく使用される陳列用具において、簡易な構成で簡便に商品を奥側から補充することができるようにしたものを提供する。また陳列用具に適用されて有用な商品陳列用の保持部材を提供する。  【解決手段】陳列用具Ａを、商品陳列用什器等の取付対象物Ｆに取り付けられる取付ベース１と、基端部２１ａを取付ベース１に取り付け先端部２１ｂに向けて延出しこの先端部２１ｂに商品Ｘに係る情報を表示する商品表示領域２ｘを有する表示部２と、この表示部２の下方に沿って延出するように取付ベース１に着脱可能に支持されて商品Ｘを保持し得る保持部材３と、表示部２の延出方向における任意の位置で支持されて保持部材３を着脱可能に挟持し得る挟持部４とを備えてなるものとした。【選択図】図９
2005287628.tif 000002
【特許請求の範囲】
【請求項１】
商品陳列用什器等の取付対象物に取着することで商品を保持するために使用されるものであって、
前記取付対象物に取り付けられる取付ベースと、基端部を前記取付ベースに取り付けてなり該基端部から先端部に向けて延出して該先端部に前記商品に係る情報を表示する商品表示領域を有する表示部と、該表示部の下方において当該表示部に沿って延出するように前記取付ベースに着脱可能に支持されて前記商品を保持し得る保持部材と、前記表示部の延出方向における任意の位置で支持され且つ前記保持部材を着脱可能に挟持し得る挟持部とを具備してなることを特徴とする陳列用具。
【請求項２】
前記保持部材を前記取付ベースから離脱させ且つ前記挟持部に支持させた状態で、該保持部材の基端部と取付ベースとの間に形成される空間を、前記商品を保持部材の基端部側から補充し得る補充空間としている請求項１記載の陳列用具。
【請求項３】
前記表示部及び前記挟持部に関連付けて、挟持部を表示部の延出方向に沿ってスライド移動させるスライド部を形成している請求項１又は２記載の陳列用具。
【請求項４】
前記スライド部を、前記表示部においてその延出方向に合致させて形成したスライドガイド部と、該スライドガイド部に対してスライド移動可能に係合するように前記挟持部に形成したスライダ部とから構成している請求項３記載の陳列用具。
【請求項５】
前記挟持部が、相互に接離可能な一対の操作片からなる操作部と、該一対の操作片の接離動作に対応して前記保持部材に対し接離可能であり前記保持部材の支持部位となる一対の把持片からなる把持部とを具備するものである請求項１、２、３又は４記載の陳列用具。
【請求項６】
前記操作部及び前記把持部の動作支点を、該挟持部において前記表示部により支持される被支持部位に設定している請求項５記載の陳列用具。
【請求項７】
前記挟持部における保持部材に対する支持部位の前面を、保持部材に保持される商品に対し該保持部材の基端部側から当接する当接面としている請求項１、２、３、４、５又は６記載の陳列用具。
【請求項８】
前記取付ベースに、前記保持部材を前面側から挿抜し得る挿抜孔を形成している請求項１、２、３、４、５、６又は７記載の陳列用具。
【請求項９】
前記保持部材が、基端部と先端部との間における商品保持領域が前記表示部の延出方向に沿って一直線状に延びる形状をなす一本の線材からなる保持杆を主体としてなるものであり、該保持杆の基端部と前記挿抜孔とに関連付けて、この保持杆における商品保持領域の延出方向を中心とした回動を規制する回動規制部を形成している請求項８記載の陳列用具。
【請求項１０】
前記回動規制部を、前記保持杆において商品保持領域の延出方向とは異なる方向へ屈曲又は湾曲させた基端部と、前記挿抜孔において前記保持杆の基端部に対し両側端部側から当接し得る起立壁面とから構成している請求項９記載の陳列用具。
【請求項１１】
前記保持杆の基端部を前記商品保持領域の延出方向に対し上方乃至斜め上方へ屈曲又は湾曲させており、前記挿抜孔へ挿入した該保持杆の基端部における上端を該挿抜孔における下向面に対して下方から当接させている請求項１０記載の陳列用具。
【請求項１２】
前記保持杆の先端部を、前記基端部側に対応させて前記商品保持領域の延出方向に対し上方乃至斜め上方へ屈曲又は湾曲させている請求項１１記載の陳列用具。
【請求項１３】
前記取付ベースに支持された状態の前記保持杆を前記挟持部により挟持させた位置で、前記取付ベースに、該挟持部の前記表示部に沿った移動を禁止するストッパ部を前記挿抜孔よりも前方に形成するとともに、挟持部による前記保持杆に対する支持部位を位置付けるための挟持部収容領域を前記挿抜孔と前記ストッパ部との間に形成している請求項８、９、１０、１１又は１２記載の陳列用具。
【請求項１４】
前記取付ベースに支持された状態の前記保持部材を前記挟持部により挟持させた位置で、該挟持部の前記表示部に沿った移動を禁止するストッパ部を前記取付ベースに形成している請求項１、２、３、４、５、６、７、８、９、１０、１１又は１２記載の陳列用具。
【請求項１５】
商品陳列用什器等の取付対象物に取着することで商品を保持するために使用される陳列用具を構成するものであって、
前記陳列用具のうち前記取付対象物に取り付けられる取付ベースに対し基端部を着脱可能に支持され且つ先端部側から商品を取り外し得るように該商品を保持するべくこれら基端部と先端部との間に設定される商品保持領域が一直線状をなして延びる保持杆を主体として具備してなり、該保持杆の先端部を前記商品保持領域の延出方向に対し上方乃至斜め上方へ屈曲又は湾曲させるとともに、基端部を前記商品保持領域の延出方向とは異なる方向へ前記取付ベースに当接するように該商品保持領域に対し上方乃至斜め上方へ屈曲又は湾曲させていることを特徴とする保持部材。
【請求項１６】
前記保持杆における先端部及び後端部を、同一形状をなして前記商品保持領域の延出方向に対し上方乃至斜め上方へ屈曲又は湾曲させている請求項１５記載の保持部材。
【発明の詳細な説明】
【技術分野】
【０００１】
本発明は、陳列棚等の什器に商品を吊り下げるなどして陳列する際に好適に使用される陳列用具、及び斯かる陳列用具に適用される商品保持用の保持部材に関するものである。
【背景技術】
【０００２】
従来から、例えばコンビニエンスストアやスーパーマーケットのような小売店の如き業態の店舗では、限られたスペースに極力豊富な品揃えを用意する必要があるため、陳列棚等の什器における棚スペースからはみ出した領域にも商品を吊り下げるなどして陳列スペースを確保するべく、什器のフレーム等に取り付けて商品を保持することを可能とする陳列用具が常用されている。斯かる陳列用具は、陳列用什器に取り付けるための取付ベースと、商品を保持するための保持部の他に、保持部に保持される商品の表示を行うための表示部とを備えているのが通例である。このような陳列用具の具体例としては、表示部及び保持部の主要部分を一本の棒状部材の折り曲げ加工により一体に形成したもの（例えば、特許文献１参照）、表示部と保持部とは別体ではあるが取付ベースに一体に組み付けられたもの（例えば、特許文献２、３参照）を挙げることができる。このような従来の陳列用具は、陳列された商品のうち購買者から見て手前側にある商品から取り出されるようにしたものである。
【特許文献１】実用新案登録第２５６４００４号公報
【特許文献２】特開平１１−７６０１０号公報
【特許文献３】特願２００３−３８６０１５号明細書
【発明の開示】
【発明が解決しようとする課題】
【０００３】
ところで、店舗において什器に商品を前後に並べて陳列する場合、特に新しい商品を補充する際には、新たに補充する商品を奥に配置して補充以前から陳列されていた商品を手前に配置し、補充以前から陳列されていた商品から先に売れてゆくようにして、陳列されている商品が減ってくればまた同様にして補充を行うという陳列方法が一般に採用されている。このような陳列方法・補充方法は、陳列用什器の棚スペースであると吊り下げ式の陳列用具であるとを問わず同様に行われているところである。また、限られた店舗スペースにはできるだけ多くの商品を陳列したいという要望があるため、商品を上述のような吊り下げ式の陳列用具を用いて陳列する際には、上下左右の商品同士ができるだけ密な状態となるように、陳列用具を上下左右に詰めて配置し、陳列効率を高めるようになされているのが通例である。このような陳列方法によれば、上述の如き従来の陳列用具では、保持部が表示部又は取付ベースと一体化していることに起因して、補充以前から保持部に陳列されていた商品をその保持部から一旦取り出しておき、補充すべき新しい商品を先に保持部に保持させた後で、先ほど取り出した商品を再度保持部に保持させ直すという方法で商品の補充を行わなければならず、その作業が非常に煩雑であるという問題があった。さらに、陳列用具及び商品が上下左右に密な状態にあると、いずれかの陳列用具に対して商品を補充する際にその陳列用具を一旦什器から取り外す必要性から、周囲の陳列用具や商品を脱落させてしまう可能性があり、作業者に注意や緊張感を強いるものであった。また、特に上述した従来の陳列用具のうち特に特許文献２に記載のものは、バネ付勢により保持部に保持されている商品を手前（保持部の先端部側）へ自動的に押し出すという押し付け体を有しているため、商品の補充時には上述したような煩雑な作業に加えて押し付け体を一旦奥側（保持部の基端部側）へ押し戻すという作業を加える必要がある。
【０００４】
そこで本発明は、以上のような問題に鑑みて、簡易な構成で簡便に商品を奥側から補充することができるようにした陳列用具を提供するとともに、斯かる陳列用具に適用されて有用な商品陳列用の保持部材を提供しようとするものである。
【課題を解決するための手段】
【０００５】
すなわち、本発明の陳列用具は、商品陳列用什器等の取付対象物に取着することで商品を保持するために使用されるものである。そして、取付対象物に取り付けられる取付ベースと、基端部を取付ベースに取り付けてなりこの基端部から先端部に向けて延出して当該先端部に商品に係る情報を表示する商品表示領域を有する表示部と、この表示部の下方において表示部に沿って延出するように取付ベースに着脱可能に支持されて商品を保持し得る保持部材と、表示部の延出方向における任意の位置で支持されて保持部材を着脱可能に挟持し得る挟持部とを具備してなることを特徴とするものである。
【０００６】
このような構成の陳列用具であると、保持部材が取付ベースとは別体であるために、保持部材を取付ベースから一旦離脱させた状態で基端部側から商品を補充することが可能となる。しかも本発明では、保持部材は挟持部に挟持状態で支持されるものであり、さらにこの挟持部は表示部の延出方向における任意の位置で支持されるものであることから、取付ベースから離脱させた保持部材を、挟持部を介して表示部に支持させておくこともできる。以上の結果、補充前から保持部材に保持させて陳列している商品をその保持状態を維持したまま手前すなわち先端部側へ移動させ、補充すべき商品を保持部材の奥側すなわち基端部側から補充することができるので、予め陳列していた商品を保持部材から一旦取り出すという繁雑な作業を行わなくても済むことになる。また、斯かる商品の補充作業に際して、取付ベースから離脱させた保持部材は挟持部を介して表示部の適宜箇所に支持させた状態としておくことができるので、保持部材を作業者が手で持った状態で商品補充を行うという不便さや、商品補充時に周囲の陳列用具や商品を脱落させるというような不具合と作業者の緊張感を招来することがない。
【０００７】
すなわち、保持部材を取付ベースから離脱させ且つ挟持部に支持させた状態において、保持部材の基端部と取付ベースとの間に形成される空間を、商品を保持部材の基端部側から補充し得る補充空間として積極的に活用することで、陳列されている商品は従来通り手前から取り出すが、新たな商品を常に奥から補充するという、時系列に従った適切な商品管理を行うことが可能となる。
【０００８】
このように商品補充の作業性が良好な本発明の陳列用具において、商品補充時に挟持部への操作性を向上させるためには、この陳列用具に、表示部及び挟持部に関連付けて、挟持部を表示部の延出方向に沿ってスライド移動させるスライド部を形成することが望ましい。このようなスライド部として望ましい具体的態様には、表示部においてその延出方向に合致させて形成したスライドガイド部と、このスライドガイド部に対してスライド移動可能に係合するように挟持部に形成したスライダ部とによってスライド部を構成したものを例示することができる。
【０００９】
また、挟持部を、相互に接離可能な一対の操作片からなる操作部と、これら一対の操作片の接離動作に対応して保持部材に対し接離可能であり且つ保持部材の支持部位となる一対の把持片からなる把持部とを具備するものとして構成すれば、挟持部への操作感を向上しつつ保持部に対する支持を安定化することができる。特に挟持部の保持部に対する挟持機能と表示部による被支持機能における部材の共通化を図り、挟持部の構造そのものの簡素化を図るには、操作部及び把持部の動作支点を、挟持部において表示部により支持される被支持部位に設定することが好ましい。
【００１０】
さらに、記挟持部における保持部材に対する支持部位（上述の例でいえば把持部）の前面を、保持部材に保持される商品に対し該保持部材の基端部側から当接する当接面とすることで、挟持部を保持部の基端部側から先端部側へ移動させるのに伴って保持部に保持されている商品に当接面を押し付けると、それら商品を購買者が手に取りやすい保持部の先端部側へ簡易に移動させることができる。
【００１１】
また、保持部材の取付ベースに対する着脱作業を簡便化するには、取付ベースに、保持部材を前面側から挿抜し得る挿抜孔を形成するとよい。このような挿抜孔は、保持部材を取付ベースに挿入して支持させる際のガイドにもなり得るので、取付ベースから一旦離脱させた保持部材を再度取付ベースに挿入する作業をスムーズに行うことができる。
【００１２】
保持部材の簡易な構成としては、基端部と先端部との間における商品保持領域が前記表示部の延出方向に沿って一直線状に延びる形状をなす一本の線材からなる保持杆を主体としてなるものが挙げられるが、このような場合でも保持部材が商品を保持した状態で安定性を保ち得るようにするためには、保持部材の主体である保持杆の基端部と取付ベースに形成された挿抜孔とに関連付けて、この保持杆における商品保持領域の延出方向を中心とした回動を規制する回動規制部を形成することが有効である。斯かる回動規制部を簡易な構成で有用に機能させる一例としては、この回動規制部を、保持杆において商品保持領域の延出方向とは異なる方向へ屈曲又は湾曲させた基端部と、挿抜孔において前記保持杆の基端部に対し両側端部側から当接し得る起立壁面とから構成したものを挙げることができる。さらに、商品を保持させた状態では、商品の荷重によって保持杆には基端部側を上方へ持ち上げるような回動を伴った力が作用するが、この力に抗して保持杆により商品を安定的に保持し得るようにするためには、保持杆の基端部を前記商品保持領域の延出方向に対し上方乃至斜め上方へ屈曲又は湾曲させることで、挿抜孔へ挿入した保持杆の基端部における上端を挿抜孔における下向面に対して下方から当接させるようにすることが望ましい。以上に加えて、保持杆の先端部側からの商品の脱落を有効に防止するためには、保持杆の先端部を、商品保持領域の延出方向に対し上方乃至斜め上方へ屈曲又は湾曲させることが有効であり、特に保持杆の先端部側の屈曲又は湾曲を基端部側に対応させることで、保持杆を前後を問わず利用可能なものとすることができる。
【００１３】
また、保持杆を主体として保持部材を構成し、且つ保持杆の基端部を取付ベースの挿抜孔へ挿入するという構成に基づいて、通常の商品陳列時において保持杆が取付ベースから安易に離脱しないようにするためには、取付ベースに支持された状態の保持杆を前記挟持部により挟持させた位置で、取付ベースに、挟持部の表示部に沿った移動を禁止するストッパ部を挿抜孔よりも前方に形成するとともに、挟持部による保持杆に対する支持部位を位置付けるための挟持部収容領域を挿抜孔とストッパ部との間に形成することが望ましい。
【００１４】
なお、このような保持部材及び取付ベースの構成に限定されることなく、通常の商品陳列時において保持杆が取付ベースから安易に離脱しないようにするためには、取付ベースに支持された状態の保持部材を挟持部により挟持させた位置で、挟持部の表示部に沿った移動を禁止するストッパ部を取付ベースに形成することが好ましいのは勿論である。
【００１５】
また、本発明に係る保持部材は、商品陳列用什器等の取付対象物に取着することで商品を保持するために使用される陳列用具を構成するものであって、陳列用具のうち取付対象物に取り付けられる取付ベースに対し基端部を着脱可能に支持され且つ先端部側から商品を取り外し得るように商品を保持するべくこれら基端部と先端部との間に設定される商品保持領域が一直線状をなして延びる保持杆を主体として具備してなり、この保持杆の先端部を商品保持領域の延出方向に対し上方乃至斜め上方へ屈曲又は湾曲させるとともに、基端部を前記商品保持領域の延出方向とは異なる方向へ取付ベースに当接するように商品保持領域に対し上方乃至斜め上方へ屈曲又は湾曲させていることを特徴としている。
【００１６】
このような構成の保持部材を陳列用具に適用すれば、この保持部材が取付ベースに対して着脱可能であることにより、商品を保持部材の基端部側から補充してそれまで陳列されていた商品を保持部材の保持領域において先端部方向へ送り、その先端部側から購買者が商品を取り出すことができるようにすることが可能となる。また、保持部材は保持杆を主体とするものであり、一直線状をなす保持領域とは異なる方向へ基端部を上方乃至斜め上方へ屈曲又は湾曲させており、しかもその基端部を保持領域の延出方向以外の方向へ取付ベースに当接するようにしているので、商品を保持した状態の保持杆が側転したり前転するという問題が生じ得ず、安定した商品の保持状態を保つことができる。さらに保持杆の先端部も保持領域の延出方向とは異なる上方乃至斜め上方へ屈曲又は湾曲させてあるので、その先端部から商品が脱落するのを有効に防止することができる。
【００１７】
ここで、保持杆における先端部及び後端部を、同一形状をなして商品保持領域の延出方向に対し上方乃至斜め上方へ屈曲又は湾曲させていると、保持杆は長手方向中央部を境に前後に対称をなすこととなり、長手方向両端部の何れを基端部又は先端部として使用してもよく、使用方向を問わず取り扱いに便利な保持杆を構成することができる。
【発明の効果】
【００１８】
本発明に係る陳列用具よれば、商品を保持するための保持部材を商品陳列用什器等の取付対象物に取り付けるための取付ベースに対して着脱可能としていることで、保持部材を取付ベースから一旦離脱させれば、保持部材において取付ベースに支持される基端部側から新たな商品を補充し、それ以前に保持部材に陳列させていた商品を当該保持部材の先端部側へ移動させて、より新しい商品はより奥に陳列するという陳列・補充方法を簡便に実現することができる。さらに、取付ベースから離脱させた保持部材は、商品の情報を表示するための表示部の延出方向における任意の箇所で支持されることが可能な挟持部によって着脱可能に支持されるため、本発明に係る陳列用具は、商品の補充作業に際して作業者が保持部材を手で持っておくというような不便な作業を行う必要がないという、格別優れた作業性をそうするものである。
【００１９】
また、斯かる陳列用具に適用される本発明の保持部材を、商品を保持するための商品保持領域が一直線状に延びる形態の保持杆を主体とするものである場合、特にこの保持杆の基端部を商品保持領域から上方乃至斜め上方へ屈曲又は湾曲する形状として、この基端部を取付ベースに対して商品保持領域の延出方向とは異なる方向へ当接させるようにすることで、商品を保持した状態の保持杆が転動するのを有効に防止することができ、また保持杆の先端部も上方乃至斜め上方へ屈曲又は湾曲させることで、保持杆の先端部側からの商品の脱落を有効に防止することができる。
【発明を実施するための最良の形態】
【００２０】
以下、本発明の一実施形態を、図面を参照して説明する。
【００２１】
図１に示すこの実施形態は、コンビニエンスストア等の小売店において用いられる陳列棚等の商品陳列用什器（全体については図示省略）の横フレームＦに取り付けて使用される陳列用具Ａである。この陳列用具Ａは、前記横フレームＦに取り付けられる取付ベース１と、この陳列用具Ａに陳列される商品Ｘに関する上方を表示するための商品表示領域２ｘを有する表示部２と、商品Ｘを吊り下げた状態で保持し得る保持部材３と、表示部２に支持されて保持部材３を着脱可能に挟持し得る挟持部４とを主体として構成したものである。以下、陳列用具Ａの各部の構成について具体的に説明する。
【００２２】
取付ベース１は、図１、図２、図３、図４、図７及び図８に示すように、前記横フレームＦの背面側に位置付けられる後壁１１、前面側に位置付けられる前壁１２、及び上面側に位置付けられ後壁１１と前壁１２とを連結する上壁１３を備え、主として下方及び両側方へ開口するチャネル状をなす部材であり、上方から横フレームＦに外嵌させた姿勢で使用される。斯かる取付ベース１は、例えば合成樹脂を一体成形したブロック体を採用することができる。詳述すると、後壁１１の上端部１１ａは前壁１２の上端部１２ａよりも上方に位置付けてある。一方、前壁１２の下端部１２ｂは後壁１１の下端部１１ｂよりも上方に位置付けてある。特に上端部１１ａ、１２ａ側における高さ違いの構成は、表示部２の下方に保持部材３を配置することにより、商品表示領域２ｘの下段側に商品Ｘを陳列するための措置である。また、後壁１２には、上方より表示部２を支持するための貫通孔１１ｃを上下に貫通させて形成しており、この貫通孔１１ｃの上端部に連通させて表示部２の配置姿勢を安定化させるために利用される凹溝１１ｄを形成している。さらに後壁１１の上端部１１ａには、前方へ開口させた挿抜孔１１ｅを形成しており、この挿抜孔１１ｅに対して保持部材３を着脱可能に挿入するようにしている。また前壁１２の上端部１２ａには、この取付ベース１を前方視した際に後壁１１に形成した挿抜孔１１ｅに連続して上方及び前後に開口する凹部１２ｃを形成しており、この凹部１２ｃを保持部材３が通過し得るようにしている。そして、上壁１３の上面１３ａを挿抜孔１１ｅ及び凹部１２ｃの下端よりも若干低位置に設定することで、後壁１１の上端部１１ａ、前壁１２の上端部１２ａ及び上壁１３の上面１３ａの間において概略矩形状をなして上方及び両側方へ開口する挟持部収容領域１３ｂを形成している。
【００２３】
表示部２は、図１、図２、図３、図６（一部）、図７及び図８に示すように、取付ベース１に基端部２１ａを支持される表示アーム２１と、この表示アーム２１の先端部２１ｂに取り付けられる表示ヘッド２２を主体として構成されるものであり、この表示ヘッド２２の前面側を商品Ｘの品名や価格等の情報を表示するための商品表示領域２ｘとしている。表示アーム２１は、例えば合成樹脂成形などにより形成される棒状の部材であり、基端部２１ａ側を略直角に下方へ屈曲させた倒伏Ｌ字形状をなしている。また表示アーム２１の両側面には、長手方向に沿って基端部２１ａ側から先端部２１ｂまで連続して延びる断面視部分円弧状をなすチャネル状のスライドガイド部２１ｃ、２１ｃを形成しており、後述するようにこのスライドガイド部２１ｃ、２１ｃに沿って挟持部４を前後方向にスライド移動させるようにしている。なお、表示アーム２１の屈曲部分内角側には、薄板状をなすリブ２４を設けており、基端部２１ａを取付ベース１の後壁１１における貫通孔１１ｃに挿通することで、表示部２を取付ベース１に取着可能とするとともに、リブ２４の下端部を凹溝１１ｄに上方から挿入することで表示部２の取付ベース１に対する挿入姿勢を安定化させている。また表示アーム２１の先端部２１ｂには二股状をなして分岐させたヘッド取付部２３を取り付けてあり、このヘッド取付部２１ｃに表示ヘッド２２を回動自在に取り付けている。
【００２４】
保持部材３は、図１、図２、図３、図５、図７及び図８に示すように、本実施形態においては一本の線材（例えば金属製棒材、好ましくは丸棒材）である保持杆３１により構成され、この保持杆３１に挿通可能な丸穴を有する商品Ｘ（商品パッケージを含む）や、保持杆３１に引っ掛けることができるフックやフック穴を有する商品Ｘ（商品パッケージを含む）を前後方向に並べて保持し且つ陳列することができるようにしたものである。さらに詳述すると、保持杆３１は、中央部分を含む長手方向の大半の領域を略一直線状に延びる商品保持領域３１ａとしており、基端部３１ｂ及び先端部３１ｃを共に略同一角度で、商品保持領域３１ａの延出方向とは異なる方向であって斜め上方を向くように屈曲させている。この屈曲角度は自由に設定することができるが、本実施例では一例として、商品保持領域３１ａの延出方向に対して約４５°としている。このようにする結果、保持杆３１は長手方向両端部の何れを基端部３１ｂとして何れを先端部３１ｃとしても使用できる者となっている。しかして保持杆３１の基端部３１ｂは、取付ベース１の前壁１２に形成した凹部１１ｃ、上壁１３の上面１３ａの上方を経過して、後壁１１に形成した挿抜孔１１ｅに前方から挿抜可能に挿入されることとなり、挿入状態において取付ベース１に支持される。この状態で、保持杆３１の基端部３１ｂは、特に図７及び図８に断面図で示すように、取付ベース１の挿抜孔１１ｅ内において、上端３１ｂ1を挿抜孔１１ｅの下向面１１ｅ1に下方から当接させて商品Ｘを吊り下げている際の荷重により保持杆３１が前転するのを規制している。そのうえ保持杆３１の基端部３１ｂは、図８に示すように挿抜孔１１ｅ内において、両側端３１ｂ2を挿抜孔１１ｅの両起立壁面１１ｅ2に当接させることで回動規制部ＲＳを構成しており、この保持杆３１が商品保持領域３１ａの延出方向を回動軸とした側転を禁止するようにしている。なお、取付ベース１に支持された保持杆３１は、図３及び図７に示すように、先端部３１ｃが基端部３１ｂよりも若干上方に位置し、商品保持領域３１ａがやや後傾した姿勢をなしており、このようにすることで商品Ｘが先端部３１ｃより脱落するのをより効率的に防止するようにしている。
【００２５】
挟持部４は、図１、図２、図３、図６及び図７に示すように、表示部２における表示アーム２１に支持された状態で保持杆３１を挟持することにより支持するための部材である。本実施形態では挟持部として、例えば合成樹脂からなる一対の挟持要素４１、４１と、これら挟持要素４１、４１が保持杆３１を挟み持つ方向へ弾性力を付与する弾性部材４２によって構成したクリップ状をなすものを採用している。具体的に各挟持要素４１は、上端部側から順に、操作片４１ａ、スライダ部４１ｂ、把持片４１ｃを一体に形成し、「く」字形状に屈曲する形状をなしたものである。ここで、各操作片４１ａは、対をなして操作部４１Ａを構成し、操作力を入力していない状態で表示アーム２１に対して斜め上側方へ傾斜する板状の部位であり、それらの中央部に例えば角形の挿通孔４１ａｓをそれぞれ形成している。また、各スライダ部４１ｂは、操作片４１ａと把持片４１ｃとの境界部分において内側（表示アーム２１側）へ縦断面視部分円弧状をなして突出させた部位であり、表示アーム２１に支持される被支持部位でもあって、表示アーム２１の両側面に形成された各スライドガイド部２１ｃに対してそれぞれ側方から略水平軸回りに転動可能且つ前後方向へスライド移動可能に嵌合することにより係合する。さらに各把持片４１ｃは、対をなして把持部４１Ｃを構成し、操作部４１Ａに操作力が入力されていない状態でスライダ部４１ｂから略鉛直方向に垂下する板状の部位である。各把持片４１ｃの下端部には、内側を向いて開口する縦断面視半円形状をなす把持端４１ｃａを形成しており、これら対向し合う把持端４１ｃａ、４１ｃａ同士で保持杆３１を側方から円筒状をなして包囲するようにしている。また、弾性部材４２は、正面視部分円環状をなす例えば合成樹脂製の弾性変形可能な板バネ部材であり、両開放端部４２ａ、４２ａを対応する把持片４１ｃ、４１ｃに側方から当接するか取り付けられており、中間部を各操作片４１ａ、４１ａに形成された挿通孔４１ａｓ、４１ａｓを通過させることで、把持片４１ｃ、４１ｃ同士が当接又は近接し合う方向、且つ操作片４１ａ、４１ａ同士が離反視合う方向へ両挟持要素４１、４１に弾性力を付与している。
【００２６】
すなわちこの挟持部４においては、一対の操作片４１ａ、４１ａからなる操作部４１Ａを接離させるように操作力を作用させることで、一対の把持片４１ｃ、４１ｃからなる把持部４１Ｃにより保持杆３１を把持するか否かを決定するようにしている。その際の挟持部４における動作支点は、一対のスライダ部４１ｂが担うこととなっている。さらに相互に係合する各スライダ部４１ｂ及び各スライドガイド部２１ｃは、挟持部４自体を表示部２のうち表示アーム２１の延出方向へスライド移動させるスライド部ＳＬを構成するものでもある。このような挟持部４は、取付ベース１の領域内において保持杆３１を支持している際には、把持部４１Ｃが挟持部収容領域１３ｂに位置付けられており、操作部４１Ａに操作力が加えられるとこの挟持部収容領域１３ｂにおいてスライダ部４１ｂ、４１ｂを支点として把持片４１ｃ、４１ｃが開閉動作することになる（特に、図３（ｃ）に実線で閉止状態、想像線で開放状態、図６（ｂ）に閉止状態（ｃ）に開放状態を示す）。なお操作部４１Ａが開き且つ把持部４１Ｃが閉じた状態では、取付ベース１の前壁１２の上端部１２ａが障害となって挟持部４を表示アーム２１に沿って前方へスライドさせることができない。すなわち取付ベース１の前壁１２における上端部１２ａを、挟持部４のスライド移動を禁止するストッパ部ＳＴとして機能させ、保持杆３１が取付ベース１から不意に抜出し得ないような措置を講じている。
【００２７】
以上の構成に基づく本実施形態に係る陳列用具Ａに対し、商品Ｘを補充・陳列する際の操作方法について図９を参照して以下に説明する。なお、以下の説明は、予め若干数の商品Ｘが陳列されている状態において、同商品Ｘをさらに追加して補充する際の態様を想定したものである。したがって、保持部材３（保持杆３１）に全く商品Ｘが保持されていない状態で新たに商品Ｘを補充する場合には、次の手順に従わずとも、保持杆３１の先端部３１ｃから商品Ｘを吊り下げるようにすればよい。
【００２８】
まず、図９（ａ）に示すように、保持杆３１に少数の商品Ｘが吊り下げられている状態で更に商品Ｘを補充する場合、挟持部４の操作部４１Ａに対し操作片４１ａ同士が接近する方向に操作力を加え、把持部４１Ｃの把持片４１ｃ、４１ｃ同士を離間させた状態で、スライダ部４１ｂ、４１ｂを表示アーム２１のスライドガイド部２１ｃ、２１ｃに対してスライドさせて前進させ、ストッパ部ＳＴとして機能している取付ベース１の前壁１２を通過させてから、操作部４１Ａに対する操作力を解除して把持部４１Ｃに保持杆３１を保持させ直す。このとき、保持杆３１は基端部３１ｂにおいて取付ベース１の挿抜孔１１ｅにより前転及び側転不能に支持されているため、作業者が保持杆３１を手で支えておく必要はない。また、挟持部４における両把持片４１ｃ、４１ｃの前面４１ｃｂ、４１ｃｂは商品Ｘの当接面としても機能するので、これら前面４１ｃｂ、４１ｃｂを最後尾（保持杆３１の基端部３１ｂ寄り）の商品Ｘの背面側に当接させた状態として挟持部４を表示アーム２１に沿って更に前進させると、それまで陳列してあった商品Ｘを一群として保持杆３１の先端部３１ｃ側へ一斉に移動させることができる。このような作業と同時、又はこの作業に引き続き、同図（ｂ）に示すように作業者が保持杆３１を手で持って挿抜孔１１ｅから引き出し、保持杆３１の基端部３１ｂを取付ベース１よりも前方に位置付けると、保持杆３１の基端部３１ｂと取付ベース１の前壁１２との間に補充領域ＨＲとしてのスペースが生じるので、この補充領域ＨＲを利用して保持杆３１の基端部３１ｂ側から新たに商品Ｘを吊り下げて補充する。そして、同図（ｃ）に示すように、保持杆３１を基端部３１ｂが挿抜孔１１ｅの奥に当接するまで押し込み、更に挟持部４に上述とは逆の操作を行って把持部４１Ｃが挟持部収容領域１３ｂ内に位置付けられるように挟持部４を元の位置にスライドさせて戻すことで、商品Ｘの補充作業を完了することができる。
【００２９】
以上に詳述したように、本実施形態の陳列用具Ａを商品陳列棚（横フレームＦ）に取り付けて使用すれば、この種の陳列用具と同じく商品の陳列スペースを拡張することができるが、特にこの陳列用具Ａで陳列する商品Ｘを補充する際には、商品Ｘを保持する保持部材３を取付ベース１に対して着脱可能とした構成と、取付ベース１に取り付けられた表示部２を利用して当該表示部２の主要構成要素である表示アーム２１の長手方向適宜位置で支持される挟持部４によって保持部材３を着脱可能に挟持可能とした構成とに基づいて、商品Ｘを保持部材３を構成する保持杆３１の基端部３１ｂ側に形成された補充領域ＨＲから補充することが可能となる。また、以上のような構成によれば、陳列用具Ａを上下左右に密に配置しても、保持杆３１を前方へ引き出すことで商品Ｘの補充時に隣接する陳列用具Ａが邪魔になることがなく、上下左右の他の陳列用具Ａに陳列された商品を脱落させることなく補充することができる。このことは、後で補充・陳列した商品Ｘは購買者が後で取り出すようにするということを、補充以前から陳列されていた商品Ｘを保持杆３１から一旦取り外すという繁雑且つ緊張を強いられる作業を伴うことなく実現することができることを意味し、補充時期に応じた適切な商品Ｘの販売を行うことが可能ならしめるものである。したがって、本実施形態の陳列用具Ａによれば、商品Ｘを補充した時系列に従って整然と陳列して適切な商品管理を行うことが可能である。
【００３０】
特に挟持部４は、表示部２との間にスライド部ＳＬを構成することで、表示アーム２１の長手方向に沿ってスライド移動可能とされているため、挟持部４を表示アーム２１から一旦取り外す必要が無く、商品Ｘの補充作業を極めて効率のよいものとすることができる。さらにこのスライド部ＳＬは、表示アーム２１の側面に形成した連続溝状のスライドガイド部２１ｃ、２１ｃと、これらに係合するように挟持部４に形成したスライダ部４１ｂ、４１ｂとから構成したものであるため、挟持部４の表示アーム２１に対するスライド移動を極めてスムーズなものとすることができる。さらに挟持部４は、一対の操作片４１ａ、４１ａからなる操作部４１Ａと、保持杆３１を着脱可能に支持し得る一対の把持片４１ｃ、４１ｃからなる把持部４１Ｃとを備えており、これら各部の動作の支点を挟持部４において表示アーム２１に支持されている被支持部であるスライダ部４１ｂ、４１ｂに設定していることから、上述のように有用に作用する挟持部４の構造を簡素なものとすることができる。また挟持部４の保持杆３１に対する支持部位である把持部４１Ｃの前面４１ｃｂ、４１ｃｂを当接面として、保持杆３１に陳列されている商品Ｘに背後から当接させるようにしているため、この前面４１ｃｂ、４１ｃｂを商品Ｘの補充作業時に最後尾の商品Ｘに当接させた状態で挟持部４を前進させるか保持杆３１を後退させると、一群の商品Ｘを一括して保持杆３１の先端部３１ｃ側へ寄せ、購買者が商品Ｘを手に取りやすい状態とすることができる。またこのように、把持部４１Ｃの前面４１ｃｂ、４１ｃｂを当接面として利用すれば、商品Ｘの補充時のみならず、陳列されている商品Ｘが購買者によって取り出されることにより不整然となった場合に、購買者が残った商品Ｘを取りやすく見栄えが良いように商品Ｘを整然と並べて手前へ送る作業を行う商品整理時等の商品管理作業においても、作業効率を向上できることになる。
【００３１】
また、取付ベース１には保持杆３１を前面側から挿抜できるようにするための挿抜孔１１ｅを形成しているので、この挿抜孔１１ｅへの保持杆３１の出し入れを極めてスムーズに行うことができる。ここで保持杆３１は取付ベース１に支持されることになる基端部３１ｂを斜め上方へ屈曲させたものであり、この基端部３１ｂの両側端３１ｂ2を挿抜孔１１ｅの起立壁面１１ｅ2に当接させて回動規制部ＲＳを形成し、それにより保持杆３１の側転を防止しているため、商品陳列時における保持杆３１の姿勢安定性を向上することができ、さらに保持杆３１の基端部３１ｂにおける上端３１ｂ1を挿抜孔１１ｅの下向面１１ｅ1に当接させることにより、商品Ｘを保持した状態における保持杆３１の前転を有効に防止することができる。付言すれば、これらの効果は、保持杆３１を挟持部４によっても支持させていることでさらに向上されているのは勿論である。また、通常の商品陳列状態では、取付ベース１において挿抜孔１１ｅの前方に挟持部４における把持部４１Ｃを位置付けるための挟持部収容領域１３ｂを設けており、しかもその挟持部収容領域１３ｂの前方に配置した前壁１２の上端部１２ａを挟持部４のスライド移動を禁止するストッパ部ＳＴとして機能させているので、商品Ｘを吊り下げた状態の保持杆３１の更なる姿勢の安定化や取付ベース１からの脱落防止を有効なものとすることができる。
【００３２】
さらに、保持杆３１は、その先端部３１ｃも基端部３１ｂと同様に上方へ屈曲させたものであるため、陳列されている商品Ｘの当該先端部３１ｂからの脱落を有効に防止することができ、さらに保持杆３１を長手方向の向きを問わず使用できるものとしているので、店舗内で陳列用具Ａの組立作業が必要となっても簡単にその組み立てを行うことができる。
【００３３】
なお、本発明は上述した実施形態に限定されるものではない。例えば、保持部材３を構成する保持杆３１についていえば、上記実施形態では基端部３１ｂを斜め上方へ屈曲させて取付ベース１の挿抜孔１１ｅ内に当接させることで、保持杆３１の側転を防止する回動規制部ＲＳを構成した例を示したが、図１０に変形例として示すように、保持杆３１Ｘの基端部３１Ｘｂに側方へ突出させた突起３１Ｘｃを形成したり（同図（ａ））、保持杆３１Ｙの基端部３１Ｙｂを側方より波形に押し潰して扁平な形状とする（同図（ｂ））など、屈曲又は湾曲形状以外の形態とする一方で挿抜孔の内部形状をそれらに対応させることにより、保持杆の基端部と挿抜孔とを係合させるようにすれば、回動規制部としての機能を実現することができる。また、挟持部は表示部の延出方向において任意の位置で支持されるものならば、表示部に対してスライド移動しないものであってもよい。その他、取付ベースと表示部とを一体物とするなどの変更や、取付ベース、表示部、保持部材、挟持部等の各部の具体的構成や形状についても上記実施形態に限られるものではなく、本発明の趣旨を逸脱しない範囲で種々変形が可能である。
【図面の簡単な説明】
【００３４】
【図１】本発明の一実施形態に係る陳列用具の使用状態を示す斜視図。
【図２】同陳列用具の各部を分解して示す斜視図。
【図３】同陳列用具を示す３面図。
【図４】同陳列用具の構成要素である取付ベースを示す４面図。
【図５】同陳列用具の構成要素である保持杆を示す２面図。
【図６】同陳列用具の構成要素である挟持部を示す３面図。
【図７】図３（ａ）に示す平面図をＩ−Ｉ線で破断して示す縦断面図。
【図８】図３（ｂ）に示す右側面図をＩＩ−ＩＩ線で破断して示す縦断面図。
【図９】同陳列用具を利用した商品の補充手順を示す説明図。
【図１０】保持杆の変形例を図５に対応して示す図。
【符号の説明】
【００３５】
Ａ…陳列用具
Ｆ…取付対象物（商品陳列棚の横フレーム）
Ｘ…商品
１…取付ベース
２…表示部
３…保持部材
４…挟持部
１１ｅ…挿抜孔
１１ｅ1…下向面
１１ｅ2…起立壁面
１３ｂ…挟持部収容領域
２１ｃ…スライドガイド部
３１、３１Ｘ、３１Ｙ…保持杆
３１ａ…商品保持領域
３１ｂ、３１Ｘｂ、３１Ｙｂ…基端部
３１ｂ1…上端
３１ｃ…先端部
４１Ａ…操作部
４１ａ…操作片
４１ｂ…スライダ部
４１Ｃ…把持部
４１ｃ…把持片
ＨＲ…補充領域
ＲＳ…回動規制部
ＳＬ…スライド部
ＳＴ…ストッパ部
【図１】
2005287628.tif 000003
【図２】
2005287628.tif 000004
【図３】
2005287628.tif 000005
【図４】
2005287628.tif 000006
【図５】
2005287628.tif 000007
【図６】
2005287628.tif 000008
【図７】
2005287628.tif 000009
【図８】
2005287628.tif 000010
【図９】
2005287628.tif 000011
【図１０】
2005287628.tif 000012